(57)【要約】【課題】放送信号の音声信号による音声放送モードの検出、無音信号区間の検出、ＣＭ放送時間の検出、音量レベルによる検出を行うことでＣＭカット機能の精度を向上させる。【解決手段】テレビジョン放送に含まれる所定の放送区間がＣＭ放送か否かを判定する複数種類のＣＭ放送判定手段を備えた放送番組記録再生装置であって、前記ＣＭ放送判定手段のうち第１のＣＭ放送判定手段で前記所定の放送区間がＣＭ放送か否かを判定する第１のＣＭ放送判定手段と、前記第１のＣＭ放送判定手段でＣＭ放送と判定された前記所定の放送区間を更に前記ＣＭ放送判定手段のうち前記第１のＣＭ放送判定手段とは異なる第２のＣＭ放送判定手段でＣＭ放送か否かを判定する第２のＣＭ放送判定手段とを備えた。また、録画された放送番組を再生する際に、ＣＭ放送であることを示す識別子が対応して記憶された放送区間をカットして再生するようにした。【選択図】図２
2008287832.tif 000002
【特許請求の範囲】
【請求項１】
テレビジョン放送に含まれる所定の放送区間がＣＭ放送か否かを複数種類のＣＭ放送判定方法により判定するＣＭ放送判定方法であって、前記ＣＭ放送判定方法のうち第１のＣＭ放送判定方法で前記所定の放送区間がＣＭ放送か否かを判定する第１のＣＭ放送判定工程と、前記第１のＣＭ放送判定工程でＣＭ放送と判定された前記所定の放送区間を更に前記ＣＭ放送判定方法のうち前記第１のＣＭ放送判定方法とは異なる第２のＣＭ放送判定方法でＣＭ放送か否かを判定する第２のＣＭ放送判定工程とを備えたことを特徴とするＣＭ放送判定方法。
【請求項２】
前記第１のＣＭ放送判定方法又は前記第２のＣＭ放送判定方法は、音声信号の音声モードによりＣＭ放送か否かを判定するＣＭ放送判定方法、音声信号の無音信号区間を検出し前記所定の放送区間がＣＭ放送か否かを判定するＣＭ放送判定方法、前記所定の放送区間における音声信号の音声レベルによりＣＭ放送か否かを判定するＣＭ放送判定方法のいずれかであることを特徴とする請求項１に記載のＣＭ放送判定方法。
【請求項３】
前記第１のＣＭ放送判定工程及び前記第２のＣＭ放送判定工程でＣＭ放送と判定された前記所定の放送区間を更に前記ＣＭ放送判定方法のうち前記第１のＣＭ放送判定方法及び前記第２のＣＭ放送判定方法とは異なる第３のＣＭ放送判定方法でＣＭ放送か否かを判定する第３のＣＭ放送判定工程と、を備えたことを特徴とする請求項１又は請求項２のいずれか一項に記載のＣＭ放送判定方法。
【請求項４】
音声信号の音声モードによりＣＭ放送か否かを判定するＣＭ放送判定方法、音声信号の無音信号区間を検出し前記所定の放送区間がＣＭ放送か否かを判定するＣＭ放送判定方法、前記所定の放送区間における音声信号の音声レベルによりＣＭ放送か否かを判定するＣＭ放送判定方法のいずれかであることを特徴とする請求項３に記載のＣＭ放送判定方法。
【請求項５】
ＣＭ放送と判定された前記所定の放送区間に対応してＣＭ放送であることを示す識別子を記憶することを特徴とする請求項１乃至請求項４のいずれか一項に記載のＣＭ放送判定方法。
【請求項６】
ＣＭ放送でないと判定された前記所定の放送区間に対応して番組本編放送であることを示す識別子を記憶することを特徴とする請求項１乃至請求項５のいずれか一項に記載のＣＭ放送判定方法。
【請求項７】
録画された放送番組を再生する際に、請求項５に記載のＣＭ放送判定方法により前記ＣＭ放送であることを示す識別子が対応して記憶された前記所定の放送区間をカットして再生することを特徴とする放送番組再生方法。
【請求項８】
録画された放送番組を再生する際に、請求項６に記載のＣＭ放送判定方法により前記番組本編放送あることを示す識別子が対応して記憶された前記所定の放送区間のみを再生することを特徴とする放送番組再生方法。
【請求項９】
録画された放送番組を再生する際に、請求項１乃至請求項６のＣＭ放送判定方法により前記ＣＭ放送と判定された前記所定の放送区間をカットして再生するか、カットしないで再生するかを選択可能としたことを特徴とする放送番組再生方法。
【請求項１０】
録画された放送番組を再生する際に、請求項１乃至請求項６のＣＭ放送判定方法により前記ＣＭ放送と判定された前記所定の放送区間の時間が放送番組の全録画時間に対し所定の割合の範囲にあるとき、前記ＣＭ放送と判定された前記所定の放送区間をカットして再生することを特徴とする放送番組再生方法。
【請求項１１】
録画された放送番組を再生する際に、請求項１乃至請求項６のＣＭ放送判定方法により前記ＣＭ放送と判定された前記所定の放送区間の時間が放送番組の全録画時間に対し所定の割合の範囲にないとき、録画された放送番組を再生するか、前記録画された放送番組全てを再生するかを選択可能としたことを特徴とする放送番組再生方法。
【請求項１２】
テレビジョン放送に含まれる所定の放送区間がＣＭ放送か否かを判定する複数種類のＣＭ放送判定手段を備えた放送番組記録再生装置であって、前記ＣＭ放送判定手段のうち第１のＣＭ放送判定手段で前記所定の放送区間がＣＭ放送か否かを判定する第１のＣＭ放送判定手段と、前記第１のＣＭ放送判定手段でＣＭ放送と判定された前記所定の放送区間を更に前記ＣＭ放送判定手段のうち前記第１のＣＭ放送判定手段とは異なる第２のＣＭ放送判定手段でＣＭ放送か否かを判定する第２のＣＭ放送判定手段と、を備えたことを特徴とする放送番組記録再生装置。
【請求項１３】
前記第１のＣＭ放送判定手段又は前記第２のＣＭ放送判定手段は、音声信号の音声モードによりＣＭ放送か否かを判定するＣＭ放送判定手段、音声信号の無音信号区間を検出し前記所定の放送区間がＣＭ放送か否かを判定するＣＭ放送判定手段、前記所定の放送区間における音声信号の音声レベルによりＣＭ放送か否かを判定するＣＭ放送判定手段のいずれかであることを特徴とする請求項１２に記載の放送番組記録再生装置。
【請求項１４】
前記第１のＣＭ放送判定手段及び前記第２のＣＭ放送判定手段でＣＭ放送と判定された前記所定の放送区間を更に前記ＣＭ放送判定手段のうち前記第１のＣＭ放送判定手段及び前記第２のＣＭ放送判定手段とは異なる第３のＣＭ放送判定手段でＣＭ放送か否かを判定する第３のＣＭ放送判定手段と、を備えたことを特徴とする請求項１２又は請求項１３のいずれか一項に記載の放送番組記録再生装置。
【請求項１５】
前記第３のＣＭ放送判定手段は、音声信号の音声モードによりＣＭ放送か否かを判定するＣＭ放送判定手段、音声信号の無音信号区間を検出し前記所定の放送区間がＣＭ放送か否かを判定するＣＭ放送判定手段、前記所定の放送区間における音声信号の音声レベルによりＣＭ放送か否かを判定するＣＭ放送判定手段のいずれかであることを特徴とする請求項１４に記載の放送番組記録再生装置。
【請求項１６】
ＣＭ放送と判定された前記所定の放送区間に対応してＣＭ放送であることを示す識別子を記憶手段に記憶することを特徴とする請求項１２乃至請求項１５のいずれか一項に記載の放送番組記録再生装置。
【請求項１７】
ＣＭ放送でないと判定された前記所定の放送区間に対応して番組本編放送であることを示す識別子を記憶手段に記憶することを特徴とする請求項１２乃至請求項１６のいずれか一項に記載の放送番組記録再生装置。
【請求項１８】
録画された放送番組を再生する際に、請求項１２乃至請求項１６のＣＭ放送判定手段により前記ＣＭ放送と判定された前記所定の放送区間をカットして再生するか、カットしないで再生するかを選択する選択手段を備えたことを特徴とする放送番組記録再生装置。
【請求項１９】
録画された放送番組を再生する際に、請求項１２乃至請求項１６のＣＭ放送判定手段により前記ＣＭ放送と判定された前記所定の放送区間の時間が放送番組の全録画時間に対し所定の割合の範囲にあるとき、前記ＣＭ放送と判定された前記所定の放送区間をカットして再生する再生手段を備えたことを特徴とする放送番組記録再生装置。
【請求項２０】
録画された放送番組を再生する際に、請求項１２乃至請求項１６のＣＭ放送判定方法により前記ＣＭ放送と判定された前記所定の放送区間の時間が放送番組の全録画時間に対し所定の割合の範囲にないとき、録画された放送番組を再生するか、前記録画された放送番組全てを再生するかを選択する選択手段を備えたことを特徴とする放送番組記録再生装置。
【発明の詳細な説明】
【技術分野】
【０００１】
本発明は、テレビジョン放送のコマーシャル(以下ＣＭという)放送判定方法、放送番組再生方法及び放送番組記録再生装置に係り、特にＣＭ放送の検出精度を向上し、記憶した放送番組をＣＭカットして再生するとき、ＣＭカットできる確立を確実に高めることのできるテレビジョン放送のＣＭ放送区間検出方法、放送番組記録再生装置に関する。
【背景技術】
【０００２】
放送された番組を内蔵のハードディスク(以下ＨＤＤという)、外部接続されたビデオ装置、ＤＶＤなどに記録し、この記録された番組を再生する際に、コマーシャル放送部分をカットして再生すること（以下ＣＭカットという)が行われることがある。このＣＭカットの機能を実現するためには、ＣＭ放送を検出しこのＣＭ放送を再生しないようにする必要がある。
【０００３】
現在ＣＭ放送を検出する方法として図６の放送信号における無音信号と無音信号区間の説明図に示すようにＣＭ放送の切り目に挿入される特有の無音信号や無音信号区間とその間の放送継続時間を検出してＣＭ放送であると判定する無音信号検出によるＣＭ放送検出や、音声信号の音声放送モードを検出してＣＭ放送特有の音声放送モードが検出されたときＣＭ放送であると判定する音声放送モード検出方法等が知られている。
【０００４】
例えば、特許文献１に開示された無音信号検出によるＣＭ放送検出方法によれば、図６に示すＣＭ放送前後の１０ｍｓの無音信号とＣＭ放送時間である１５秒または３０秒を検出してＣＭ放送であると判定している。また、特許文献２に開示された無音信号検出によるＣＭ放送検出方法によれば、ＣＭ放送の前後に設定される０．５秒以上の無音信号区間を検出してＣＭ放送であると判定している。また、特許文献３、特許文献４に開示された音声放送モード検出方法によれば、ＣＭ放送がステレオ放送で行われる可能性が高いということにより、音声放送モードがステレオ放送モードであればＣＭ
放送であると判定している。  
【特許文献１】特開２００３−４７０３１号公報
【特許文献２】特開２０００−１１５７１２号公報
【特許文献３】特開平３−２６２２８７号公報
【特許文献４】特開２００２−７７７７０号公報
【発明の開示】
【発明が解決しようとする課題】
【０００５】
従来のテレビジョン放送のＣＭ放送区間検出方法においては、図６に示す無音信号や無音信号区間の検出や、1つのＣＭの放送時間が決められていることによるＣＭ放送時間検出、ＣＭ放送がステレオ放送で行われる可能性が高いということによる音声放送モードの検出のいずれかで、ＣＭ放送区間の検出を実現していた。しかし、番組本編にも無音信号や無音信号区間が存在することがあり、また番組本編からＣＭ放送に切り替わった場合に無音信号区間が設定されないことがある。更に、番組本編の放送モードがステレオ放送モードである場合は、ＣＭ放送と番組本編放送の区別が出来ない。このためＣＭ放送を精度よく検出できなかった。例えば、番組本編をＣＭ放送と間違えて検出してしまい、番組本編が全く記録されず、ＣＭ放送のみが記録されていたというようなことも起こる可能性があった。また、映像信号の変化を検出する方法を組み合わせることも考えられるが、映像信号処理は処理の負荷が重くなってしまうという問題があった。
【０００６】
更に、ＣＭカットの選択を行って放送信号を記録した場合には、ＣＭ放送区間がカットされて記録媒体に保存されるため、誤って番組本編の一部をＣＭ放送区間と判定した場合には、再生時に元に戻すことが出来ないという問題があった。
【０００７】
本発明は、上記問題点を解決できる、テレビジョン放送の放送番組記録再生装置を提供することを目的とする。
【課題を解決するための手段】
【０００８】
本発明に関わるＣＭ放送判定方法は、テレビジョン放送に含まれる所定の放送区間がＣＭ放送か否かを複数種類のＣＭ放送判定方法により判定するＣＭ放送判定方法であって、前記ＣＭ放送判定方法のうち第１のＣＭ放送判定方法で前記所定の放送区間がＣＭ放送か否かを判定する第１のＣＭ放送判定工程と、前記第１のＣＭ放送判定工程でＣＭ放送と判定された前記所定の放送区間を更に前記ＣＭ放送判定方法のうち前記第１のＣＭ放送判定方法とは異なる第２のＣＭ放送判定方法でＣＭ放送か否かを判定する第２のＣＭ放送判定工程と、を備えたことを特徴とする。
また、前記第１のＣＭ放送判定方法又は前記第２のＣＭ放送判定方法は、音声信号の音声モードによりＣＭ放送か否かを判定するＣＭ放送判定方法、音声信号の無音信号区間を検出し前記所定の放送区間がＣＭ放送か否かを判定するＣＭ放送判定方法、前記所定の放送区間における音声信号の音声レベルによりＣＭ放送か否かを判定するＣＭ放送判定方法のいずれかであることを特徴とする。
また、前記第１のＣＭ放送判定工程及び前記第２のＣＭ放送判定工程でＣＭ放送と判定された前記所定の放送区間を更に前記ＣＭ放送判定方法のうち前記第１のＣＭ放送判定方法及び前記第２のＣＭ放送判定方法とは異なる第３のＣＭ放送判定方法でＣＭ放送か否かを判定する第３のＣＭ放送判定工程と、を備えたことを特徴とする。
また、音声信号の音声モードによりＣＭ放送か否かを判定するＣＭ放送判定方法、音声信号の無音信号区間を検出し前記所定の放送区間がＣＭ放送か否かを判定するＣＭ放送判定方法、前記所定の放送区間における音声信号の音声レベルによりＣＭ放送か否かを判定するＣＭ放送判定方法のいずれかであることを特徴とする。
また、ＣＭ放送と判定された前記所定の放送区間に対応してＣＭ放送であることを示す識別子を記憶することを特徴とする。
また、ＣＭ放送でないと判定された前記所定の放送区間に対応して番組本編放送であることを示す識別子を記憶することを特徴とする。
また、録画された放送番組を再生する際に、前記に記載のＣＭ放送判定方法により前記ＣＭ放送であることを示す識別子が対応して記憶された前記所定の放送区間をカットして再生することを特徴とする。
また、録画された放送番組を再生する際に、前記に記載のＣＭ放送判定方法により前記番組本編放送あることを示す識別子が対応して記憶された前記所定の放送区間のみを再生することを特徴とする。  また、録画された放送番組を再生する際に、前記のＣＭ放送判定方法により前記ＣＭ放送と判定された前記所定の放送区間をカットして再生するか、カットしないで再生するかを選択可能としたことを特徴とする。
また、録画された放送番組を再生する際に、前記のＣＭ放送判定方法により前記ＣＭ放送と判定された前記所定の放送区間の時間が放送番組の全録画時間に対し所定の割合の範囲にあるとき、前記ＣＭ放送と判定された前記所定の放送区間をカットして再生することを特徴とする。
また、録画された放送番組を再生する際に、前記のＣＭ放送判定方法により前記ＣＭ放送と判定された前記所定の放送区間の時間が放送番組の全録画時間に対し所定の割合の範囲にないとき、録画された放送番組を再生するか、前記録画された放送番組全てを再生するかを選択可能としたことを特徴とする。
また、テレビジョン放送に含まれる所定の放送区間がＣＭ放送か否かを判定する複数種類のＣＭ放送判定手段を備えた放送番組記録再生装置であって、前記ＣＭ放送判定手段のうち第１のＣＭ放送判定手段で前記所定の放送区間がＣＭ放送か否かを判定する第１のＣＭ放送判定手段と、前記第１のＣＭ放送判定手段でＣＭ放送と判定された前記所定の放送区間を更に前記ＣＭ放送判定手段のうち前記第１のＣＭ放送判定手段とは異なる第２のＣＭ放送判定手段でＣＭ放送か否かを判定する第２のＣＭ放送判定手段と、を備えたことを特徴とする。
また、前記第１のＣＭ放送判定手段又は前記第２のＣＭ放送判定手段は、音声信号の音声モードによりＣＭ放送か否かを判定するＣＭ放送判定手段、音声信号の無音信号区間を検出し前記所定の放送区間がＣＭ放送か否かを判定するＣＭ放送判定手段、前記所定の放送区間における音声信号の音声レベルによりＣＭ放送か否かを判定するＣＭ放送判定手段のいずれかであることを特徴とする。
また、前記第１のＣＭ放送判定手段及び前記第２のＣＭ放送判定手段でＣＭ放送と判定された前記所定の放送区間を更に前記ＣＭ放送判定手段のうち前記第１のＣＭ放送判定手段及び前記第２のＣＭ放送判定手段とは異なる第３のＣＭ放送判定手段でＣＭ放送か否かを判定する第３のＣＭ放送判定手段と、を備えたことを特徴とする。
前記第３のＣＭ放送判定手段は、音声信号の音声モードによりＣＭ放送か否かを判定するＣＭ放送判定手段、音声信号の無音信号区間を検出し前記所定の放送区間がＣＭ放送か否かを判定するＣＭ放送判定手段、前記所定の放送区間における音声信号の音声レベルによりＣＭ放送か否かを判定するＣＭ放送判定手段のいずれかであることを特徴とする。
また、ＣＭ放送と判定された前記所定の放送区間に対応してＣＭ放送であることを示す識別子を記憶手段に記憶することを特徴とする。
また、ＣＭ放送でないと判定された前記所定の放送区間に対応して番組本編放送であることを示す識別子を記憶手段に記憶することを特徴とする。
また、録画された放送番組を再生する際に、前記のＣＭ放送判定手段により前記ＣＭ放送と判定された前記所定の放送区間をカットして再生するか、カットしないで再生するかを選択する選択手段を備えたことを特徴とする。
また、録画された放送番組を再生する際に、前記のＣＭ放送判定手段により前記ＣＭ放送と判定された前記所定の放送区間の時間が放送番組の全録画時間に対し所定の割合の範囲にあるとき、前記ＣＭ放送と判定された前記所定の放送区間をカットして再生する再生手段を備えたことを特徴とする。  
また、録画された放送番組を再生する際に、前記のＣＭ放送判定方法により前記ＣＭ放送と判定された前記所定の放送区間の時間が放送番組の全録画時間に対し所定の割合の範囲にないとき、録画された放送番組を再生するか、前記録画された放送番組全てを再生するかを選択する選択手段を備えたことを特徴とする。
【発明の効果】
【０００９】
本発明によれば、音声信号を解析してＣＭ放送検出する複数種類のＣＭ放送検出方法を組み合わせることにより、ＣＭ放送を精度良く検出できる。
【発明を実施するための最良の形態】
【００１０】
以下、本発明の最良の実施形態について図面を参照して説明する。
【００１１】
（第１の実施の形態）
図１は、本発明の第１の実施の形態である放送番組記録再生装置のブロック図である。
【００１２】
アンテナ1は放送信号を受信する装置である。チューナ２は、アンテナ1で受信した放送信号の中から特定の周波数(チャンネル)だけを取り出す装置である。映像処理手段３は、チューナ２から入力する圧縮された映像信号を復元処理し画像信号に変換する手段である。表示器４は、映像処理手段３が出力する動画または静止画の画像信号を表示する装置である。音声処理手段５は、チューナ２から入力する圧縮された音声信号を復元処理しアナログ音声信号に変換する手段である。出力器６は、音声処理手段５が出力するアナログ音声信号を音声として出力する装置である。リモコン７は、当該放送番組記録再生装置の操作を行う装置である。操作入力手段８は、リモコン７からの操作信号、または放送番組記録再生装置の操作ボタンによる操作指示を入力する手段である。記録データテーブル９は、放送番組の録画予約時間をメモリに記憶するテーブルである。記録媒体１０は、録画した放送信号を記録する装置である。
【００１３】
音声放送モード検出手段１１は、受信した放送信号が二つの音声チャネル(ステレオ放送モード)か一つの音声チャネル(モノラル放送)かを検出する手段である。音量レベル検出手段１２は、受信した放送信号の音声信号についてその音量レベルを音声波形により検出する手段である。無音信号区間検出手段１３は、音声信号処理手段５からアナログ音声信号を入力し、音声信号レベルが零付近になる図６に示す無音信号区間を検出する手段である。無音信号区間間隔計測手段１４は、無音信号区間から次の無音信号区間が発生するまでの時間値Ｔを検出する手段である。放送区分時系列情報テーブル１５は、ＣＭ放送区間であるか番組本編放送区間であるかの放送区分を時系列にメモリに記憶するテーブルである。
【００１４】
メモリ１６は、記録データテーブル９と、放送区分時系列情報テーブル１５と、制御部２０が本処理を実行するための制御プログラム格納や処理データの一時記憶用（作業領域用）、あるいは記録媒体１０に記録／再生するときの放送信号データのバッファ用などとして使用するメモリである。タイマ１７は、現在時刻を知らせる時計機能、および時間を計測するタイマ機能を備えてこれら現在時刻やタイマの計測結果を制御部に知らせる装置である。
【００１５】
ＣＭカット選択手段１８は、リモコン７から操作入力手段８を経由してＣＭカット選択の有無を入力する手段である。再生メニュー表示入力手段１９は、ＣＭカット選択手段１８と、映像処理手段３を経由し表示器４に再生メニューの表示とリモコン７から操作入力手段８を経由して録画した放送信号を再生するかしないかの再生有無を入力する手段である。制御部(ＣＰＵ)２０は、当該放送番組記録再生装置の動作を制御する装置である。
【００１６】
図２は、本発明の第１の実施の形態における、放送信号を記録する処理を示すフローチャートである。
【００１７】
本実施の形態は、図６に示すように無音信号区間と次の無音信号区間を検出し、無音信号区間の検出時刻Ｔ１と次の無音信号区間の検出時刻Ｔ２の間の放送区間についてインデックスＩの順番にＣＭ放送区間であるか、番組本編放送区間であるか判定していく手順である。図２のフローチャートに示すステップ順に基づいて以下説明する。
【００１８】
放送信号を記録する処理は、予め番組の録画を予約してあったものが、録画開始時刻Ｔｓが到来することにより記録スタートし、ＣＭ放送と番組本編放送を区別しながら、予約された放送番組を記録媒体１０に記録していくことを想定している。記録開始時刻Ｔｓや記録終了時刻Ｔｅなどは、番組録画が予約された時点で記録データテーブル９に記録されるものとする。制御部２０は、この記録開始時刻Ｔｓを監視して記録開始時刻Ｔｓの到来により記録をスタートさせる、あるいは、記録開始時刻Ｔｓの到来により発生するトリガー信号を受信することにより記録の処理をスタートさせる。
【００１９】
記録がスタートすると、まず、記録データテーブル９から記録開始時刻Ｔｓを取り出し、Ｔ１としてメモリに記憶する(ステップＡ１)。記録開始時は無音信号区間を検出できないのでこのように記録開始時刻Ｔｓを無音信号区間の検出時刻の代わりにメモリに記憶するものである。
【００２０】
記録を終了する時刻を判断するために、記録データテーブル９から記録終了時刻Ｔeを取り出しＴeとしてメモリに記憶する(ステップＡ２)。
【００２１】
ＣＭ放送区間か番組本編放送区間かの区分を時系列に格納するため、放送区分時系列情報テーブル１５の格納先インデックスであるＩに初期値１をメモリに記憶する(ステップＡ３)。
【００２２】
記録を終了する時刻を判断するために、現在時刻が記録終了時刻であるＴeを経過していないかチェックする(ステップＡ４)。経過していない場合は記録を行うためにステップＡ５の処理を行い、経過している場合は記録を終了するためにステップＡ１８の処理を行う(ステップＡ４)。
【００２３】
音声放送モードによりＣＭ放送か番組本編放送かを判定するために、音声放送モード検出手段１１により音声放送モードを検出する(ステップＡ５)。
【００２４】
音声放送モード検出手段１１より、取り出した音声放送モードがステレオ放送かモノラル放送かをチェックする(ステップＡ６)。取り出した音声放送モードがステレオ放送であればＣＭ放送と判定し、ＣＭ放送区間の区分を設定するステップＡ７の処理を行う(ステップＡ６)。取り出した音声放送モードがモノラル放送であれば番組本編放送と判定し、番組本編放送区間の区分を設定するステップＡ１９の処理を行う(ステップＡ６)。
【００２５】
ＣＭ放送と判定されたことにより、図３に示す放送区分情報を時系列に設定する放送区分時系列情報テーブル１５のＩ番目の「区分」の項目に”ＣＭ”、「時刻」の項目にＴ１（HH:MM:SS）の内容を設定する(ステップＡ７)。
【００２６】
インデックスＩが初期値１である場合は記録を開始するため、インデックスＩが初期値１であるかをチェックする(ステップＡ８)。インデックスＩが初期値１である場合は、記録を開始するための処理であるステップＡ９の処理を行い、インデックスＩが初期値１でない場合は記録を開始する処理を行わないで、次のステップＡ１０の処理を行う(ステップＡ８)。
【００２７】
記録の開始により制御部２０は、記録媒体１０への放送信号の保存を開始する(ステップＡ９)。
【００２８】
制御部２０からの指令により無音信号区間検出手段１３は、無音信号区間を検出し、検出した時刻をＴ２としてメモリに記憶する(ステップＡ１０)。
【００２９】
制御部２０からの指令により無音信号区間間隔計測手段１４は、無音信号区間の検出時刻Ｔ１(初回は開始時刻Ｔｓ)と次の無音信号区間の検出時刻Ｔ２との間隔である時間値Ｔを検出する(ステップＡ１１)。
【００３０】
無音信号区間から次の無音信号区間までの間隔の時間値である時間値Ｔが、ＣＭ放送と判定する値である予めメモリに記憶した所定の時間値（Ｔｃ）以下であるかをチェックする(ステップＡ１２)。以下である場合は、ＣＭ放送である次の条件の音量レベルをチェックするステップＡ１３の処理を行う(ステップＡ１２)。以下でない場合は、その区間をＣＭ放送区間から番組本編放送区間に変更するために、ＣＭ放送区間から番組本編放送区間へ変更するテップＡ１７の処理を行う(ステップＡ１２)。
【００３１】
音量レベルでの条件でＣＭ放送区間かのチェックを行うために、無音信号区間の検出時刻Ｔ１と次の無音信号区間の検出時刻Ｔ２までの音量レベルの平均値を音量レベル検出手段１２が検出する(ステップＡ１３)。
【００３２】
ＣＭ放送区間であるかの判定を行うために、音量レベルの平均値が予めメモリに記憶した音量レベル値（Ｏｋ）を超えているかチェックする(ステップＡ１４)。超えている場合は、ＣＭ放送区間であるので無音信号区間の検出時刻であるＴ１とＴ２の区間はＣＭ放送区間であると判定して区分はそのままとし、ステップＡ１５の処理を行う。超えていない場合は、無音信号区間の検出時刻であるＴ１とＴ２の区間は番組本編放送区間と判定し、ステップＡ１７の処理を行う(ステップＡ１４)。
【００３３】
次の放送区間を判定するために、放送区分時系列情報テーブルの格納先インデックスであるＩに１を加算してＩを更新する(ステップＡ１５)。
【００３４】
次の放送区間の処理を行うため、無音信号区間の検出時刻Ｔ１に無音信号区間の検出時刻Ｔ２の値を移動させ、ステップＡ４の処理に戻る(ステップＡ１６)。これにより、ＣＭ放送か番組本編放送かの判定区間が次の判定区間に移動することになり、同様に判定を継続することができる。
【００３５】
音声放送モードによる判定でＣＭ放送としてステップＡ７で設定した放送区分時系列情報テーブル１５のＩ番目の「区分」の”ＣＭ”が、以降の判定で変更されたため番組本編の放送区分である”ＰＧ”に変更した後、番組本編の放送区分の処理であるステップＡ２２に進む。(ステップＡ１７)。
【００３６】
ステップＡ４でＮＯと判定されてステップＡ１８に進む処理について戻って説明を続けると、上記説明したように、現在時刻が記録終了時刻であるＴeを経過していないかチェックし、経過している場合は記録を終了するためにステップＡ１８の処理を行う。放送信号の記録を終了させることで、記録媒体１０への放送信号の保存を終了する(ステップＡ１８)。
【００３７】
更に、音声放送モードによりモノラル放送であるとステップＡ６で判定された場合、番組本編放送区間の区分を設定するステップＡ１９の処理に進む。図３に示す放送区分情報を時系列に設定する放送区分時系列情報テーブル１５の「区分」の項目に”ＰＧ”、「時刻」の項目にＴ１（HH:MM:SS）の内容を設定する(ステップＡ１９)。
【００３８】
インデックスＩが初期値１である場合は記録を開始するため、インデックスＩが初期値１であるかをチェックする(ステップＡ２０)。インデックスＩが初期値１である場合は、記録を開始するための処理であるステップＡ２１の処理を行い、インデックスＩが初期値１でない場合は、記録を開始する処理を行わないで、次のステップＡ２２の処理を行う(ステップＡ２０)。
【００３９】
記録の開始により制御部２０は、記録媒体１０への放送信号の保存を開始する(ステップＡ２１)。
【００４０】
制御部２０からの指令により無音信号区間検出手段１３は、無音信号区間を検出し、検出した時刻をＴ２としてメモリに記憶する(ステップＡ２２)。
【００４１】
次の放送区間を判定すめるために、放送区分時系列情報テーブルの格納先インデックスであるＩに１を加算してＩを更新する(ステップＡ２３)。
【００４２】
次の放送区間の処理を行うため、無音信号区間の検出時刻Ｔ１に無音信号区間の検出時刻Ｔ２の値を移動させ、ステップＡ４の処理に戻る(ステップＡ２４)。これにより、ＣＭ放送か番組本編放送かの判定区間が次の判定区間に移動することになり、同様に判定を継続することができる。
【００４３】
図４は、本発明の第１の実施の形態における、放送信号を再生する処理を示すフローチャートである。図４のフローチャートに示すステップ順に基づいて以下の説明する。
【００４４】
ユーザは、ＣＭ放送をカットして再生するか、またはカットせずに再生するかをリモコン７の操作から入力する。この操作信号はリモコン７から操作入力手段８を経由し、ＣＭカット選択手段１８に入力される(ステップＢ１)。
【００４５】
ＣＭカット選択手段１８は、ＣＭをカットして再生するか、ＣＭをカットせずに再生するかのＣＭカット選択有無を入力する(ステップＢ２)。有りの場合はＣＭをカットして再生する処理であるステップＢ３を行い、無しの場合はＣＭをカットせずに再生する処理であるステップＢ４を行う(ステップＢ２)。
【００４６】
制御部２０は、記録媒体１０から放送区分時系列情報１５の「区分」の項目に”ＰＧ”が設定されている放送区間の放送信号のみを取り出し（放送区分時系列情報１５の「区分」の項目に”ＣＭ”が設定されている放送区間の放送信号は取り出さない）、映像信号は映像処理手段３から表示器４に表示し、音声信号は音声処理手段５から出力器６に出力し、再生する(ステップＢ３)。
【００４７】
制御部２０は、記録媒体１０から放送区分時系列情報１５の「区分」の項目に”ＰＧ”、”ＣＭ”が設定されている全ての放送区間の放送信号を取り出し、映像信号は映像処理手段３から表示器４に表示し、音声信号は音声処理手段５から出力器６に出力し、再生する(ステップＢ４)。
【００４８】
このような第１の実施形態によれば、テレビジョン放送に含まれる所定の放送区間がＣＭ放送か否かを複数種類のＣＭ放送判定方法により判定するＣＭ放送判定方法において、前記ＣＭ放送判定方法のうち第１のＣＭ放送判定方法で前記所定の放送区間がＣＭ放送か否かを判定する第１のＣＭ放送判定工程と、前記第１のＣＭ放送判定工程でＣＭ放送と判定された前記所定の放送区間を更に前記ＣＭ放送判定方法のうち前記第１のＣＭ放送判定方法とは異なる第２のＣＭ放送判定方法でＣＭ放送か否かを判定する第２のＣＭ放送判定工程とを備えたことを特徴とするので、ＣＭ放送区間の判別精度を向上することができる。
【００４９】
また、第１の実施形態によれば、ＣＭ放送と判定された前記所定の放送区間に対応してＣＭ放送であることを示す識別子ＣＭを記憶し、ＣＭ放送でない判定された前記所定の放送区間に対応して番組本編放送であることを示す識別子ＰＧを記憶するので、番組を再生するとき番組本編放送であることを示す識別子が付いたデータのみを再生することによりＣＭカット機能を実現できる。また、万が一、ＣＭ放送と番組本編放送との選別に失敗しても、ＣＭ放送、番組本編放送であるとして記憶された全てのデータを再生することにより、所望の録画番組をＣＭ放送付きで再生することができる。
【００５０】
（第２の実施の形態）
図５は、本発明の第２の実施の形態における、放送信号を再生する場合の処理を示すフローチャートである。図５のフローチャートに示すステップ順に基づいて以下に説明する。
【００５１】
ユーザは、ＣＭ放送をカットして再生するか、またはカットせずに再生するかをリモコン７の操作から入力する。この操作信号はリモコン７から操作入力手段８を経由し、ＣＭカット選択手段１８に入力される(ステップＣ１)。
【００５２】
ＣＭカット選択手段１８は、ＣＭをカットして再生するか、ＣＭをカットせずに再生するかのＣＭカット選択有無を入力する(ステップＣ２)。ＣＭカット選択が有りの場合は、ＣＭをカットして再生する処理であるステップＢ３を行い、ＣＭカット選択が無しの場合は、ＣＭをカットせずに再生する処理であるステップＢ４を行う(ステップＣ２)。
【００５３】
ＣＭ放送と判定された放送区間の時間が放送番組の全録画時間に対し所定の割合の範囲にあるかをチェックするため、ＣＭ放送時間であるＴcmと全録画時間(ＣＭ放送と番組本編放送の合計時間)であるＴtolを計算する(ステップＣ３)。Ｔcmは、放送区分時系列情報１５の「区分」の項目に”ＣＭ”が設定されている放送区間の「時刻」を取り出し、Ｔcmのメモリに記憶する。また、Ｔtolは、記録データテーブル９の記録開始時刻Ｔｓと記録終了時刻Ｔｅから全録画時間(ＣＭ放送と番組本編放送の合計時間)を計算し、Ｔtolのメモリに記憶する(ステップＣ３)。
【００５４】
ＣＭ放送と判定された放送区間の時間が放送番組の全録画時間に対し所定の割合の範囲にあるかをチェックするため、Ｔtol(全録画時間)と予めメモリに記憶したＣＭ放送下限比率とＣＭ放送上限比率から下記によりＴlとＴhを計算する(ステップＣ４)。
Ｔl  ＝ Ｔtol(全録画時間)×ＣＭ放送下限比率(全録画時間に対するＣＭ放送の下限比率)
Ｔh  ＝ Ｔtol(全録画時間)×ＣＭ放送上限比率(全録画時間に対するＣＭ放送の上限比率)
【００５５】
ＣＭ放送時間であるＴcmが、Ｔl とＴh の範囲内であるかチェックする(ステップＣ５)。Ｔcmが範囲内の場合はＣＭ放送のカットは正常と判断し、ＣＭ放送区間をカットして再生するステップＣ６の処理を行う(ステップＣ５)。Ｔcmが範囲外の場合はＣＭ放送のカットは正常でないと判断し、ユーザに再生するかまたは再生しないかを入力してもらうための処理であるステップＣ７に進む。(ステップＣ５)。
【００５６】
制御部２０は、記録媒体１０から放送区分時系列情報テーブル１５の「区分」の項目に”ＰＧ”が設定されている放送区間の放送信号のみを取り出し（放送区分時系列情報テーブル１５の「区分」の項目に”ＣＭ”が設定されている放送区間の放送信号は取り出さない）、映像信号は映像処理手段３から表示器４に表示し、音声信号は音声処理手段５から出力器６に出力し、再生する(ステップＣ６)。
【００５７】
ステップＣ５においてＮｏと判断された場合は、再生メニュー表示入力手段１９により、放送信号を再生するか、再生しないかの再生メニューを表示し、そしてユーザのリモコン７からの操作により操作入力手段８が入力した再生するか再生しないかの再生有無を、再生メニュー表示入力手段１９が入力する(ステップＣ７)。
【００５８】
再生メニュー表示入力手段１９は、ユーザが入力した再生有無をチェックし、再生有りの場合は記録媒体の放送信号を再生する処理であるステップＣ９の処理を行い、再生無しの場合は本再生処理を終了させる(ステップＣ８)。
【００５９】
制御部２０は、記録媒体１０から放送区分時系列情報テーブル１５の「区分」の項目に”ＰＧ”が設定されている放送区間の放送信号のみを取り出し（放送区分時系列情報テーブル１５の「区分」の項目に”ＣＭ”が設定されている放送区間の放送信号は取り出さない）、映像信号は映像処理手段３から表示器４に表示し、音声信号は音声処理手段５から出力器６に出力し、再生する(ステップＣ９)。
【００６０】
このような第２の実施形態によれば、放送番組を再生する際にＣＭ放送区間の時間が放送番組の全録画時間に対し所定の割合の範囲にあるときは、ＣＭ放送区間が正しく判定されたと判断しＣＭ放送区間をカットして再生し、所定の割合の範囲にないときは、ＣＭ放送区間が正しく判定されないと判断し、ＣＭ放送区間をカットせずに再生することで、再生前にＣＭ放送区間が正しく判定されているかを確認した後に放送番組記録を再生することが出来る放送番組記録再生装置を提供出来る。
【産業上の利用可能性】
【００６１】
本発明は、テレビジョン放送における放送番組の記録再生に好適であるが、放送番組記録再生装置に限られるものではなく、また、テレビジョン放送受信装置と記録再生装置をシステム接続した場合にも適用可能な技術である。
【図面の簡単な説明】
【００６２】
【図１】本発明の第１の実施の形態である放送番組記録再生装置のブロック図である。
【図２】本発明の第１の実施の形態における、放送信号を記録する処理を示すフローチャート
【図３】放送区分時系列情報テーブルの一例を示す構成図である。
【図４】本発明の第１の実施の形態における、放送信号を再生する第１の実施の形態である放送信号を再生する処理を示すフローチャート
【図５】本発明の第１の実施の形態における、放送信号を再生する第２の実施の形態である放送信号を再生する処理を示すフローチャート
【図６】放送信号における無音信号と無音信号区間の説明図
【符号の説明】
【００６３】
１・・・アンテナ
２・・・チューナ
３・・・映像処理手段
４・・・表示器
５・・・音声処理手段
６・・・出力器
７・・・リモコン
８・・・操作入力手段
９・・・記録データテーブル
１０・・記録媒体
１１・・音声放送モード検出手段
１２・・音量レベル検出手段
１３・・無音信号区間検出手段
１４・・無音信号区間間隔計測手段
１５・・放送区分時系列情報テーブル
１６・・メモリ
１７・・タイマ
１８・・ＣＭカット選択手段
１９・・再生メニュー表示入力手段
２０・・制御部(ＣＰＵ)
【図１】
2008287832.tif 000003
【図２】
2008287832.tif 000004
【図３】
2008287832.tif 000005
【図４】
2008287832.tif 000006
【図５】
2008287832.tif 000007
【図６】
2008287832.tif 000008